(57)【要約】【課題】本発明は、ユーザノード装置からオンデマンドなリソース要求に対し、予約パスの状況を踏まえて、ネットワークリソースの状況を把握した上で、ダイレクトパスの確立を行うことができるダイレクトパス確立技術を提供することを目的とする。【解決手段】サーバ装置３は、ネットワーク１のリソースを管理するリソース管理手段３０１と、ダイレクトパス６０を収容又は通過するためのパスの経路を計算する経路計算手段３０２と、パスの経路の設定要求を送信するダイレクト用リソース設定要求応答手段３０３と、パス情報格納手段３０４と、ダイレクトパスの確立を完了したことを示すメッセージを受信するパス確立／完了通知受信手段３０５と、パス情報更新手段３０６と、ＤＢ（データベース）３０７とを備えている。【選択図】図３
2010074375.tif 000002
【特許請求の範囲】
【請求項１】
サーバ装置がパス受付制御不能な発信者ユーザノード装置に対しサービスを提供するネットワークにおける、当該ネットワークの帯域を含むリソースの情報を時間毎に格納する前記サーバ装置が、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを前記ネットワークで確立させるダイレクトパス確立方法において、
前記サーバ装置は、
前記パス受付制御不能な前記発信者ユーザノード装置が前記ダイレクトパスの確立要求を送信するまでに、前記ネットワークにおける全ての前記リソースから前記サーバ装置が管理可能な予約パスのための前記リソースを差し引いた割り当て可能な前記リソースを計算するリソース計算ステップと、
前記割り当て可能なリソースに基づいて、前記ダイレクトパスを収容又は通過するためのパスの経路を計算する経路計算ステップと、
前記発信者ネットワークノード装置に対し、前記パスの経路を要求するダイレクトパス設定要求ステップと、を含んで実行し、
前記発信者ネットワークノード装置は、
前記発信者ユーザノード装置からの前記ダイレクトパスの確立要求に応じて、前記発信者ネットワークノード装置から前記着信者ネットワークノード装置までの間を含めた前記ダイレクトパスの経路を計算する経路計算ステップと、
前記ダイレクトパスを確立するパス確立ステップと、を含んで実行することを特徴とするダイレクトパス確立方法。
【請求項２】
サーバ装置がパス受付制御不能な発信者ユーザノード装置に対しサービスを提供するネットワークにおける、当該ネットワークの帯域を含むリソースの情報を時間毎に格納する前記サーバ装置が、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを前記ネットワークで確立させるダイレクトパス確立方法において、
前記サーバ装置は、
前記パス受付制御不能な前記発信者ユーザノード装置からの前記ダイレクトパスの経路の計算要求に応じて、前記ネットワークにおける全ての前記リソースから前記サーバ装置が管理可能な予約パスのための前記リソースを差し引いた割り当て可能な前記リソースを計算するリソース計算ステップと、
前記割り当て可能なリソースに基づいて、前記ダイレクトパスを収容又は通過するためのパスの経路を計算する経路計算ステップと、
前記発信者ネットワークノード装置に対し、前記パスの経路を要求するダイレクトパス設定要求ステップと、を含んで実行し、
前記発信者ネットワークノード装置は、
前記発信者ユーザノード装置からの前記ダイレクトパスの確立要求に応じて、前記発信者ネットワークノード装置から前記着信者ネットワークノード装置までの間を含めた前記ダイレクトパスの経路を計算する経路計算ステップと、
前記ダイレクトパスを確立するパス確立ステップと、を含んで実行することを特徴とするダイレクトパス確立方法。
【請求項３】
前記サーバ装置は、前記ダイレクトパス設定要求ステップにおいて、前記ダイレクトパスに用いる前記リソースの識別情報としてのＣｏｌｏｒ（ｒｅｓｏｕｒｅ  ｃｌａｓｓ）を含め、
前記発信者ネットワークノード装置は、前記経路計算ステップにおいて、前記Ｃｏｌｏｒに基づいて、経路計算によって前記ダイレクトパスの経路を計算することを特徴とする請求項１又は２に記載のダイレクトパス確立方法。
【請求項４】
前記サーバ装置は、前記ダイレクトパス設定要求ステップにおいて、前記パスの経路に前記パスの経路のコストを示す属性情報を含め、
前記発信者ネットワークノード装置は、前記経路計算ステップにおいて、前記コストが低い前記ダイレクトパスを確立するように、経路計算によって前記ダイレクトパスの経路を計算することを特徴とする請求項１又は２に記載のダイレクトパス確立方法。
【請求項５】
前記サーバ装置は、前記ダイレクトパスが、前記割り当て可能な前記リソース以外のリソースを用いて確立された場合、当該ダイレクトパスを解放することを特徴とする請求項１から請求項４の何れか一項に記載のダイレクトパス確立方法。
【請求項６】
前記サーバ装置は、前記サーバ装置が管理可能な予約パスのためのリソースを用いて前記ダイレクトパスが確立された場合、前記予約パスを確立する際に、当該ダイレクトパスを解放することを特徴とする請求項１から請求項４の何れか一項に記載のダイレクトパス確立方法。
【請求項７】
ネットワークの帯域を含むリソースの情報を時間毎に格納するサーバ装置が、発信者ネットワークノード装置に接続した発信者ユーザノード装置と着信者ネットワークノード装置に接続した着信者ユーザノード装置との間を少なくとも含むダイレクトパスを前記ネットワークで確立させるダイレクトパス確立方法において、
前記発信者ネットワークノード装置は、
前記発信者ユーザノード装置からの前記ダイレクトパスの確立要求に応じて、前記ダイレクトパスの経路の計算要求を前記サーバ装置に送信する経路計算要求ステップ、を含んで実行し、
前記サーバ装置は、
前記発信者ネットワークノード装置からの前記ダイレクトパスの経路の計算要求に応じて、前記ネットワークにおける全ての前記リソースから予約パスのための前記リソースを差し引いた割り当て可能な前記リソースを計算するリソース計算ステップと、
前記割り当て可能なリソースに基づいて、前記発信者ネットワークノード装置から前記着信者ネットワークノード装置までの間を含めた前記ダイレクトパスの経路を計算する経路計算ステップと、
前記発信者ネットワークノード装置に対し、計算した前記ダイレクトパスの経路を送信する経路計算結果応答ステップと、を含んで実行し、
前記発信者ネットワークノード装置は、
前記サーバ装置から送信された前記ダイレクトパスの経路に基づいて、前記ダイレクトパスを確立するパス確立ステップ、を含んで実行することを特徴とするダイレクトパス確立方法。
【請求項８】
サーバ装置がパス受付制御不能な発信者ユーザノード装置に対しサービスを提供するネットワークにおける、当該ネットワークの帯域を含むリソースの情報を時間毎に格納し、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを確立する前記ネットワークに接続されるサーバ装置であって、
前記パス受付制御不能な前記発信者ユーザノード装置が前記ダイレクトパスの確立要求を送信するまでに、前記ネットワークにおける全ての前記リソースから前記サーバ装置が管理可能な予約パスのための前記リソースを差し引いた割り当て可能な前記リソースを計算するリソース管理手段と、
前記割り当て可能なリソースに基づいて、前記ダイレクトパスを収容又は通過するためのパスの経路を計算する経路計算手段と、
前記発信者ネットワークノード装置に対し、前記パスの経路を要求するダイレクト用リソース設定要求手段と、を備えることを特徴とするサーバ装置。
【請求項９】
サーバ装置がパス受付制御不能な発信者ユーザノード装置に対しサービスを提供するネットワークにおける、当該ネットワークの帯域を含むリソースの情報を時間毎に格納し、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを確立する前記ネットワークに接続されるサーバ装置であって、
前記パス受付制御不能な前記発信者ユーザノード装置からの前記ダイレクトパスの計算要求に応じて、前記ネットワークにおける全ての前記リソースから前記サーバ装置が管理可能な予約パスのための前記リソースを差し引いた割り当て可能な前記リソースを計算するリソース管理手段と、
前記割り当て可能なリソースに基づいて、前記ダイレクトパスを収容又は通過するためのパスの経路を計算する経路計算手段と、
前記発信者ネットワークノード装置に対し、前記パスの経路を要求するダイレクト用リソース設定要求手段と、を備えることを特徴とするサーバ装置。
【請求項１０】
ネットワークの帯域を含むリソースの情報を時間毎に格納し、発信者ネットワークノード装置に接続した発信者ユーザノード装置と着信者ネットワークノード装置に接続した着信者ユーザノード装置との間を少なくとも含むダイレクトパスを確立する前記ネットワークに接続されるサーバ装置であって、
前記発信者ネットワークノード装置からの前記ダイレクトパスの経路の計算要求に応じて、前記ネットワークにおける全ての前記リソースから予約パスのための前記リソースを差し引いた割り当て可能な前記リソースを計算するリソース管理手段と、
前記割り当て可能なリソースに基づいて、前記発信者ネットワークノード装置から前記着信者ネットワークノード装置までの間を含めた前記ダイレクトパスの経路を計算する経路計算手段と、
前記発信者ネットワークノード装置に対し、前記ダイレクトパスの経路を送信する経路計算結果応答手段と、を備えることを特徴とするサーバ装置。
【請求項１１】
前記サーバ装置は、前記リソースの情報として、予め設定した予約時間において確立する前記予約パスの経路と、前記予約パスの予約済み又は確立済みを示すステータスと、前記予約時間とを含むパス情報を格納し、
前記リソース管理手段は、前記格納した予約パスの経路と、前記予約パスの予約済み又は確立済みを示すステータスと、前記予約時間とを含む前記パス情報に基づいて、前記割り当て可能な前記リソースを計算することを特徴とする請求項８から請求項１０の何れか一項に記載のサーバ装置。
【請求項１２】
ネットワークの帯域を含むリソースの情報を時間毎に格納するサーバ装置が前記ネットワークに接続され、発信者ネットワークノード装置に接続した発信者ユーザノード装置と着信者ネットワークノード装置に接続した着信者ユーザノード装置との間を少なくとも含むダイレクトパスを確立する前記ネットワークにおける発信者ネットワークノード装置であって、
前記発信者ユーザノード装置からの前記ダイレクトパスの確立要求に応じて、前記発信者ネットワークノード装置から前記着信者ネットワークノード装置までの間を含めた前記ダイレクトパスの経路を計算する経路計算手段と、
前記ダイレクトパスを確立するパス確立手段と、を備えることを特徴とする発信者ネットワークノード装置。
【請求項１３】
ネットワークの帯域を含むリソースの情報を時間毎に格納するサーバ装置が前記ネットワークに接続され、発信者ネットワークノード装置に接続した発信者ユーザノード装置と着信者ネットワークノード装置に接続した着信者ユーザノード装置との間を少なくとも含むダイレクトパスを確立する前記ネットワークにおける発信者ネットワークノード装置であって、
前記発信者ユーザノード装置からの前記ダイレクトパスの確立要求に応じて、前記ダイレクトパスの経路の計算要求を前記サーバ装置に送信する経路計算要求手段と、
前記サーバ装置から送信された前記ダイレクトパスの経路に基づいて、前記ダイレクトパスを確立するパス確立手段と、を備えることを特徴とする発信者ネットワークノード装置。
【請求項１４】
請求項８から請求項１１の何れか一項に記載のサーバ装置と、
請求項１２又は請求項１３に記載の発信者ネットワークノード装置と、
を含むことを特徴とするダイレクトパス確立ネットワーク。
【請求項１５】
コンピュータを、請求項８から請求項１１の何れか一項に記載のサーバ装置を構成する各手段として機能させるためのサーバ装置用プログラム。
【請求項１６】
コンピュータを、請求項１２又は請求項１３に記載の発信者ネットワークノード装置を構成する各手段として機能させるための発信者ネットワークノード装置用プログラム。
【発明の詳細な説明】
【技術分野】
【０００１】
本発明は、ユーザノード装置からのオンデマンドなリソース要求に対し、ネットワークのリソースを時間軸で管理して、ダイレクトパスを確立するダイレクトパス確立技術に関する。
【背景技術】
【０００２】
従来、ユーザノード装置から他のユーザノード装置までのダイレクトなパス要求に対して、ネットワークのリソースを提供するダイレクトパス確立方法が開示されている（例えば、非特許文献１参照）。このダイレクトパス確立方法は、ダイレクトパス要求があった場合に、リソースの残量があれば、当該ダイレクトパスの確立を行うものである。
【非特許文献１】Ｇ．Ｓｗａｌｌｏｗ，ｅｔ  ａｌ  Ｇｅｎｅｒａｌｉｚｅｄ  Ｍｕｌｔｉｐｒｏｔｏｃｏｌ  Ｌａｂｅｌ  Ｓｗｉｔｃｈｉｎｇ（ＧＭＰＬＳ）  Ｕｓｅｒ−Ｎｅｔｗｏｒｋ  Ｉｎｔｅｒｆａｃｅ（ＵＮＩ）：Ｒｅｓｏｕｒｃｅ  Ｒｅｓｅｒｖａｔｉｏｎ  Ｐｒｏｔｏｃｏｌ−Ｔｒａｆｆｉｃ  Ｅｎｇｉｎｅｅｒｉｎｇ（ＲＳＶＰ−ＴＥ）  Ｓｕｐｐｏｒｔ  ｆｏｒ  ｔｈｅ  Ｏｖｅｒｌａｙ  Ｍｏｄｅｌ，ＲＦＣ４８０２
【発明の開示】
【発明が解決しようとする課題】
【０００３】
しかしながら、従来のダイレクトパス確立方法では、ネットワークにおける全リソースから予約パス等のリソースを差し引いてリソースの残量を逐次計算していないので、予約パスの状況を踏まえて、ネットワークリソースの状況を把握した上で、ダイレクトパスの経路計算ができず、ダイレクトパスの確立が困難になる場合がある。
【０００４】
そこで、本発明では、前記した問題を解決し、ユーザノード装置からのオンデマンドなリソース要求に対し、予約パスの状況を踏まえて、ネットワークリソースの状況を把握した上で、ダイレクトパスの確立を行うことができるダイレクトパス確立技術を提供することを目的とする。
【課題を解決するための手段】
【０００５】
前記課題を解決するため、請求項１に記載のダイレクトパス確立方法は、サーバ装置がパス受付制御不能な発信者ユーザノード装置に対しサービスを提供するネットワークにおける、当該ネットワークの帯域を含むリソースの情報を時間毎に格納する前記サーバ装置が、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを前記ネットワークで確立させるダイレクトパス確立方法において、前記サーバ装置が、前記パス受付制御不能な前記発信者ユーザノード装置が前記ダイレクトパスの確立要求を送信するまでに、前記ネットワークにおける全ての前記リソースから前記サーバ装置が管理可能な予約パスのための前記リソースを差し引いた割り当て可能な前記リソースを計算するリソース計算ステップと、前記割り当て可能なリソースに基づいて、前記ダイレクトパスを収容又は通過するためのパスの経路を計算する経路計算ステップと、前記発信者ネットワークノード装置に対し、前記パスの経路を要求するダイレクトパス設定要求ステップと、を含んで実行し、前記発信者ネットワークノード装置が、前記発信者ユーザノード装置からの前記ダイレクトパスの確立要求に応じて、前記発信者ネットワークノード装置から前記着信者ネットワークノード装置までの間を含めた前記ダイレクトパスの経路を計算する経路計算ステップと、前記ダイレクトパスを確立するパス確立ステップと、を含んで実行することを特徴とする。
【０００６】
かかる手順によれば、サーバ装置は、パス受付制御不能な発信者ユーザノード装置に対しサービスを提供するために、ネットワークにおける割り当て可能なリソースを計算し、ダイレクトパスを収容又は通過するためのパスの経路を計算し、発信者ユーザノード装置からのダイレクトパスを収容又は通過するためのリソースを準備する。また、発信者ネットワークノード装置は、発信者ユーザノード装置からダイレクトパスの確立要求に応じて、サーバ装置が計算したパスの経路に基づいて、発信者ネットワークノード装置から着信者ネットワークノード装置までの間を含めたダイレクトパスの経路を計算し、このダイレクトパスを確立する。これによって、ユーザノード装置からのオンデマンドなリソース要求に対し、予約パスの状況を踏まえて、ネットワークリソースの状況を把握した上で、ダイレクトパスの確立を行うことができる。
【０００７】
請求項２に記載のダイレクトパス確立方法は、サーバ装置がパス受付制御不能な発信者ユーザノード装置に対しサービスを提供するネットワークにおける、当該ネットワークの帯域を含むリソースの情報を時間毎に格納する前記サーバ装置が、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを前記ネットワークで確立させるダイレクトパス確立方法において、前記サーバ装置が、前記パス受付制御不能な前記発信者ユーザノード装置からの前記ダイレクトパスの経路の計算要求に応じて、前記ネットワークにおける全ての前記リソースから前記サーバ装置が管理可能な予約パスのための前記リソースを差し引いた割り当て可能な前記リソースを計算するリソース計算ステップと、前記割り当て可能なリソースに基づいて、前記ダイレクトパスを収容又は通過するためのパスの経路を計算する経路計算ステップと、前記発信者ネットワークノード装置に対し、前記パスの経路を要求するダイレクトパス設定要求ステップと、を含んで実行し、前記発信者ネットワークノード装置が、前記発信者ユーザノード装置からの前記ダイレクトパスの確立要求に応じて、前記発信者ネットワークノード装置から前記着信者ネットワークノード装置までの間を含めた前記ダイレクトパスの経路を計算する経路計算ステップと、前記ダイレクトパスを確立するパス確立ステップと、を含んで実行することを特徴とする。
【０００８】
かかる手順によれば、サーバ装置は、パス受付制御不能な発信者ユーザノード装置に対しサービスを提供するために、発信者ユーザノード装置からのダイレクトパスの計算要求に応じて、ネットワークにおける割り当て可能なリソースを計算し、ダイレクトパスを収容又は通過するためのパスの経路を計算する。また、発信者ネットワークノード装置は、発信者ユーザノード装置からダイレクトパスの確立要求に応じて、サーバ装置が計算したパスの経路に基づいて、発信者ネットワークノード装置から着信者ネットワークノード装置までの間を含めたダイレクトパスの経路を計算し、このダイレクトパスを確立する。これによって、ユーザノード装置からのオンデマンドなリソース要求に対し、予約パスの状況を踏まえて、ネットワークリソースの状況を把握した上で、ダイレクトパスの確立を行うことができる。さらに、ダイレクトパス用のリソースとダイレクトパスとを１対１で確保できるため、ネットワークのリソースを高い精度で管理することができる。
【０００９】
請求項３に記載のダイレクトパス確立方法は、請求項１又は２に記載のダイレクトパス確立方法において、前記サーバ装置が、前記ダイレクトパス設定要求ステップにおいて、前記ダイレクトパスに用いる前記リソースの識別情報としてのＣｏｌｏｒ（ｒｅｓｏｕｒｅ  ｃｌａｓｓ）を含め、前記発信者ネットワークノード装置が、前記経路計算ステップにおいて、ＣＳＰＦ（Ｃｏｎｓｔｒａｉｎｅｄ  Ｓｈｏｒｔｅｓｔ  Ｐａｔｈ  Ｆａｓｔ）法等の経路計算によって、前記Ｃｏｌｏｒに基づいて、前記ダイレクトパスの経路を計算することを特徴とする。
【００１０】
かかる手順によれば、発信者ネットワークノード装置は、経路計算ステップにおいて、ダイレクトパスの経路として設定したリソースを識別するための識別情報のある経路を他の経路よりも優先して経路計算を行う。
【００１１】
請求項４に記載のダイレクトパス確立方法は、請求項１又は２に記載のダイレクトパス確立方法において、前記サーバ装置が、前記ダイレクトパス設定要求ステップにおいて、前記パスの経路に前記パスの経路のコストを示す属性情報を含め、前記発信者ネットワークノード装置が、前記経路計算ステップにおいて、ＣＳＰＦ（Ｃｏｎｓｔｒａｉｎｅｄ  Ｓｈｏｒｔｅｓｔ  Ｐａｔｈ  Ｆａｓｔ）法等の経路計算によって、前記コストが低い前記ダイレクトパスを確立するように前記ダイレクトパスの経路を計算することを特徴とする。かかる手順によれば、ダイレクトパス確立方法は、経路計算ステップにおいて、この属性情報により、よりコストが低くなるダイレクトパスの経路を計算する。
【００１２】
請求項５に記載のダイレクトパス確立方法は、請求項１から請求項４の何れか一項に記載のダイレクトパス確立方法において、前記サーバ装置は、前記ダイレクトパスが、前記割り当て可能な前記リソース以外のリソースを用いて確立された場合、当該ダイレクトパスを解放することを特徴とする。かかる手順によれば、ダイレクトパス確立方法は、予約パスを確立できない事態を防止できる。
【００１３】
請求項６に記載のダイレクトパス確立方法は、請求項１から請求項４の何れか一項に記載のダイレクトパス確立方法において、前記サーバ装置は、前記サーバ装置が管理可能な予約パスのためのリソースを用いて前記ダイレクトパスが確立された場合、前記予約パスを確立する際に、当該ダイレクトパスを解放することを特徴とする。かかる手順によれば、ダイレクトパス確立方法は、予約パスを確立できない事態を防止できる。
【００１４】
請求項７に記載のダイレクトパス確立方法は、ネットワークの帯域を含むリソースの情報を時間毎に格納するサーバ装置が、発信者ネットワークノード装置に接続した発信者ユーザノード装置と着信者ネットワークノード装置に接続した着信者ユーザノード装置との間を少なくとも含むダイレクトパスを前記ネットワークで確立させるダイレクトパス確立方法において、前記発信者ネットワークノード装置が、前記発信者ユーザノード装置からの前記ダイレクトパスの確立要求に応じて、前記ダイレクトパスの経路の計算要求を前記サーバ装置に送信する経路計算要求ステップ、を含んで実行し、前記サーバ装置が、前記発信者ネットワークノード装置からの前記ダイレクトパスの経路の計算要求に応じて、前記ネットワークにおける全ての前記リソースから予約パスのための前記リソースを差し引いた割り当て可能な前記リソースを計算するリソース計算ステップと、前記割り当て可能なリソースに基づいて、前記発信者ネットワークノード装置から前記着信者ネットワークノード装置までの間を含めた前記ダイレクトパスの経路を計算する経路計算ステップと、前記発信者ネットワークノード装置に対し、計算した前記ダイレクトパスの経路を送信する経路計算結果応答ステップと、を含んで実行し、前記発信者ネットワークノード装置が、前記サーバ装置から送信された前記ダイレクトパスの経路に基づいて、前記ダイレクトパスを確立するパス確立ステップ、を含んで実行することを特徴とする。
【００１５】
かかる手順によれば、サーバ装置は、発信者ユーザノード装置からのダイレクトパスの計算要求に応じて、時間毎に格納されたリソースの情報を考慮し、ネットワークにおける割り当て可能なリソースを計算し、発信者ネットワークノード装置から着信者ネットワークノード装置までの間を含めたダイレクトパスの経路を計算する。これによって、ユーザノード装置からのオンデマンドなリソース要求に対し、予約パスの状況を踏まえて、ネットワークリソースの状況を把握した上で、ダイレクトパスの確立を行うことができる。さらに、ダイレクトパスを１回の経路計算で済ませることができ、発信者ユーザノード装置で経路計算を行う必要がなく、発信者ユーザノード装置を簡易な構成とすることができる。
【００１６】
請求項８に記載のサーバ装置は、サーバ装置がパス受付制御不能な発信者ユーザノード装置に対しサービスを提供するネットワークにおける、当該ネットワークの帯域を含むリソースの情報を時間毎に格納し、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを確立する前記ネットワークに接続されるサーバ装置であって、前記パス受付制御不能な前記発信者ユーザノード装置が前記ダイレクトパスの確立要求を送信するまでに、前記ネットワークにおける全ての前記リソースから前記サーバ装置が管理可能な予約パスのための前記リソースを差し引いた割り当て可能な前記リソースを計算するリソース管理手段と、前記割り当て可能なリソースに基づいて、前記ダイレクトパスを収容又は通過するためのパスの経路を計算する経路計算手段と、前記発信者ネットワークノード装置に対し、前記パスの経路を要求するダイレクト用リソース設定要求手段と、を備えることを特徴とする。
【００１７】
かかる構成によれば、サーバ装置は、パス受付制御不能な発信者ユーザノード装置に対しサービスを提供するために、ネットワークにおける割り当て可能なリソースを計算し、ダイレクトパスを収容又は通過するためのパスの経路を計算し、発信者ユーザノード装置のダイレクトパスを収容又は通過するためのリソースを準備する。また、サーバ装置は、発信者ネットワークノード装置に対し、このパスの経路を要求する。これによって、発信者ネットワークノード装置と着信者ネットワークノード装置との間でのパスを予め設定しておくことができる。これによって、ユーザノード装置からのオンデマンドなリソース要求に対し、予約パスの状況を踏まえて、ネットワークリソースの状況を把握した上で、ダイレクトパスの確立を行うことができる。
【００１８】
請求項９に記載のサーバ装置は、サーバ装置がパス受付制御不能な発信者ユーザノード装置に対しサービスを提供するネットワークにおける、当該ネットワークの帯域を含むリソースの情報を時間毎に格納し、前記パス受付制御不能な前記発信者ユーザノード装置からのパスを収容するために、予め当該パスを収容するための前記リソースを割り当て、割り当てた当該リソースに対し、発信者ネットワークノード装置に接続した前記発信者ユーザノード装置と着信者ネットワークノード装置に接続した着信者ユーザノード装置との間を少なくとも含むダイレクトパスを確立する前記ネットワークに接続されるサーバ装置であって、前記パス受付制御不能な前記発信者ユーザノード装置からの前記ダイレクトパスの計算要求に応じて、前記ネットワークにおける全ての前記リソースから前記サーバ装置が管理可能な予約パスのための前記リソースを差し引いた割り当て可能な前記リソースを計算するリソース管理手段と、前記割り当て可能なリソースに基づいて、前記ダイレクトパスを収容又は通過するためのパスの経路を計算する経路計算手段と、  前記発信者ネットワークノード装置に対し、前記パスの経路を要求するダイレクト用リソース設定要求手段と、を備えることを特徴とする。
【００１９】
かかる構成によれば、サーバ装置は、パス受付制御不能な発信者ユーザノード装置に対しサービスを提供するために、発信者ユーザノード装置からのダイレクトパスの計算要求に応じて、ネットワークにおける割り当て可能なリソースを計算し、ダイレクトパスを収容又は通過するためのパスの経路を計算する。また、サーバ装置は、発信者ネットワークノード装置に対し、このパスの経路を要求する。これによって、ユーザノード装置からのオンデマンドなリソース要求に対し、予約パスの状況を踏まえて、ネットワークリソースの状況を把握した上で、ダイレクトパスの確立を行うことができる。さらに、ダイレクトパス用のリソースとダイレクトパスとを１対１で確保できるため、ネットワークのリソースを高い精度で管理することができる。
【００２０】
請求項１０に記載のサーバ装置は、ネットワークの帯域を含むリソースの情報を時間毎に格納し、発信者ネットワークノード装置に接続した発信者ユーザノード装置と着信者ネットワークノード装置に接続した着信者ユーザノード装置との間を少なくとも含むダイレクトパスを確立する前記ネットワークに接続されるサーバ装置であって、前記発信者ネットワークノード装置からの前記ダイレクトパスの経路の計算要求に応じて、前記ネットワークにおける全ての前記リソースから予約パスのための前記リソースを差し引いた割り当て可能な前記リソースを計算するリソース管理手段と、前記割り当て可能なリソースに基づいて、前記発信者ネットワークノード装置から前記着信者ネットワークノード装置までの間を含めた前記ダイレクトパスの経路を計算する経路計算手段と、前記発信者ネットワークノード装置に対し、前記ダイレクトパスの経路を送信する経路計算結果応答手段と、を備えることを特徴とする。
【００２１】
かかる構成によれば、サーバ装置は、発信者ユーザノード装置からのダイレクトパスの計算要求に応じて、時間毎に格納されたリソースの情報を考慮し、ネットワークにおける割り当て可能なリソースを計算し、発信者ネットワークノード装置から着信者ネットワークノード装置までの間を含めたダイレクトパスの経路を計算する。これによって、ユーザノード装置からのオンデマンドなリソース要求に対し、予約パスの状況を踏まえて、ネットワークリソースの状況を把握した上で、ダイレクトパスの確立を行うことができる。さらに、発信者ユーザノード装置から着信者ユーザノード装置までのダイレクトパスを1回の経路計算で行うことができる。
【００２２】
請求項１１に記載のサーバ装置は、請求項８から請求項１０の何れか一項に記載のサーバ装置において、前記サーバ装置が、前記リソースの情報として、予め設定した予約時間において確立する前記予約パスの経路と、前記予約パスの予約済み又は確立済みを示すステータスと、前記予約時間とを含む前記パス情報を格納し、前記リソース管理手段が、前記格納した予約パスの経路と、前記予約パスの予約済み又は確立済みを示すステータスと、前記予約時間とを含む前記パス情報に基づいて、前記割り当て可能な前記リソースを計算することを特徴とする。かかる構成によれば、サーバ装置は、ある予約時間において、所定のユーザノード装置に予約パスを使用させることができる。
【００２３】
請求項１２に記載の発信者ネットワークノード装置は、ネットワークの帯域を含むリソースの情報を時間毎に格納するサーバ装置が前記ネットワークに接続され、発信者ネットワークノード装置に接続した発信者ユーザノード装置)と着信者ネットワークノード装置に接続した着信者ユーザノード装置との間を少なくとも含むダイレクトパスを確立する前記ネットワークにおける発信者ネットワークノード装置であって、前記発信者ユーザノード装置からダイレクトパスの確立要求に応じて、前記発信者ネットワークノード装置から前記着信者ネットワークノード装置までの間を含めた前記ダイレクトパスの経路を計算する経路計算手段と、前記ダイレクトパスを確立するパス確立手段と、を備えることを特徴とする。
【００２４】
かかる構成によれば、発信者ネットワークノード装置は、ダイレクトパスを収容又は通過するためのパスの経路が、サーバ装置から送信される。ここで、このパスの経路は、予め送信されても良く、サーバ装置に対するダイレクトパスの経路の計算要求に応じて送信されても良い。そして、発信者ネットワークノード装置は、発信者ユーザノード装置からダイレクトパスの確立要求に応じて、このパスの経路に基づいて、発信者ネットワークノード装置から着信者ネットワークノード装置までの間を含めたダイレクトパスの経路を計算し、ダイレクトパスを確立する。これによって、ユーザノード装置からのオンデマンドなリソース要求に対し、予約パスの状況を踏まえて、ネットワークリソースの状況を把握した上で、ダイレクトパスの確立を行うことができる。
【００２５】
請求項１３に記載の発信者ネットワークノード装置は、ネットワークの帯域を含むリソースの情報を時間毎に格納するサーバ装置が前記ネットワークに接続され、発信者ネットワークノード装置に接続した発信者ユーザノード装置と着信者ネットワークノード装置に接続した着信者ユーザノード装置との間を少なくとも含むダイレクトパスを確立する前記ネットワークにおける発信者ネットワークノード装置であって、前記発信者ユーザノード装置からの前記ダイレクトパスの確立要求に応じて、前記ダイレクトパスの経路の計算要求を前記サーバ装置に送信する経路計算要求手段と、前記サーバ装置から送信された前記ダイレクトパスの経路に基づいて、前記ダイレクトパスを確立するパス確立手段と、を備えることを特徴とする。
【００２６】
かかる構成によれば、発信者ネットワークノード装置は、発信者ネットワークノード装置から着信者ネットワークノード装置までの間を含めたダイレクトパスの経路が、サーバ装置から送信される。これによって、ユーザノード装置からのオンデマンドなリソース要求に対し、予約パスの状況を踏まえて、ネットワークリソースの状況を把握した上で、ダイレクトパスの確立を行うことができる。さらに、発信者ネットワークノード装置は、ダイレクトパスの経路の計算を行う必要がなく、簡易な構成とすることができる。
【００２７】
請求項１４に記載のダイレクトパス確立ネットワークは、請求項８から請求項１１の何れか一項に記載のサーバ装置と、請求項１２又は請求項１３に記載の発信者ネットワークノード装置と、を含むことを特徴とする。かかる構成によれば、ユーザノード装置からのオンデマンドなリソース要求に対し、予約パスの状況を踏まえて、ネットワークリソースの状況を把握した上で、ダイレクトパスの確立を行うことができる。
【００２８】
請求項１５に記載のサーバ装置用プログラムは、コンピュータを、請求項８から請求項１１の何れか一項に記載のサーバ装置を構成する各手段として機能させることを特徴とする。このように構成されることにより、このプログラムをインストールされたコンピュータは、前記したサーバ装置として機能する。
【００２９】
請求項１６に記載の発信者ネットワークノード装置用プログラムは、コンピュータを、請求項１２又は請求項１３に記載の発信者ネットワークノード装置を構成する各手段として機能させることを特徴とする。このように構成されることにより、このプログラムをインストールされたコンピュータは、前記した発信者ネットワークノード装置として機能する。
【発明の効果】
【００３０】
本発明によれば、ユーザノード装置からオンデマンドリソース要求に対し、予約パスの状況を踏まえて、ネットワークリソースの状況を把握した上で、ダイレクトパスの確立を行うことができるダイレクトパス確立技術を提供することができる。
【発明を実施するための最良の形態】
【００３１】
（ネットワークの概略）
本発明の実施形態について、適宜、図面を参照しながら詳細に説明する。
図１は、本発明の各実施形態に係るダイレクトパス確立ネットワークの構成図である。図１に示すように、ネットワーク１（ダイレクトパス確立ネットワーク）は、後記するサーバ装置３がパス受付制御不能な発信者ユーザノード装置１０に対しサービスを提供するものであり、オンデマンド要求に対し、ダイレクトパス６０を確立する。ここで、実際にダイレクトパス６０を確立しているネットワーク１の一部をネットワーク２とする。なお、パス受付制御不能とは、サーバ装置３が、発信者ユーザノード装置１０からダイレクトパスの確立要求を直接受信しないことである。
【００３２】
このネットワーク１は、ダイレクトパス６０を要求する発信者ユーザノード装置１０と、発信者ユーザノード装置１０に接続する発信者ネットワークノード装置２０(境界ネットワークノード装置）と、接続先となる着信者ユーザノード装置５０と、この着信者ユーザノード装置５０に接続する着信者ネットワークノード装置４０（別の境界ネットワークノード装置）と、発信者ネットワークノード装置２０と着信者ネットワークノード装置４０とを中継する複数の中継ノード装置３０とから構成されている。
【００３３】
また、このネットワーク１は、サーバ装置３とネットワーク管理サーバ装置４とを備える。ネットワーク管理サーバ装置４は、サーバ装置３と各ノード装置とを仲介するものである。なお、ネットワーク１は、ネットワーク管理サーバ装置４を備えなくとも良く、この場合、サーバ装置３と各ノード装置とを接続すれば良い。
【００３４】
各ノード装置は、光クロスコネクト、ルータ、スイッチ等から構成されている。また、発信者ネットワークノード装置２０、中継ノード装置３０及び着信者ユーザノード装置５０は、ＲＦＣ３４７３等のＲＳＶＰ−ＴＥ（Ｒｅｓｏｕｒｃｅ  ｒｅＳｅｒＶａｔｉｏｎ  Ｐｒｏｔｏｃｏｌ−Ｔｒａｆｆｉｃ  Ｅｎｇｉｎｅｅｒｉｎｇ）に準拠して、パスを確立するように構成されている。
【００３５】
実際にダイレクトパス６０を確立しているネットワーク２においては、発信者ユーザノード装置１０及び発信者ネットワークノード装置２０と、着信者ユーザノード装置５０及び着信者ネットワークノード装置４０とが一対となっている。そして、これら発信者ネットワークノード装置２０と着信者ネットワークノード装置４０とを接続する中継ノード装置３０は、ネットワーク２において複数存在し、個数は限定されない。
【００３６】
ダイレクトパス６０は、発信者ユーザノード装置１０の端点（開始点）から着信者ユーザノード装置５０までの端点（終点）を含むものであり、発信者ネットワークノード装置２０の端点（開始点）と着信者ネットワークノード装置４０の端点（終点）との間を含んでも良い。
【００３７】
（第１実施形態）
［発信者ユーザノード装置の構成]
図２に、第１実施形態に係る発信者ユーザノード装置及び着信者ユーザノード装置のブロック図を示す。図２に示すように、発信者ユーザノード装置１０は、ダイレクトパス確立要求手段１０１と、ダイレクトパス確立応答手段１０２と、パス情報格納手段１０３と、ＤＢ（データベース）１０４とを備える。
【００３８】
ダイレクトパス確立要求手段１０１は、発信者ネットワークノード装置２０に対し、ダイレクトパス６０の確立要求を送信するものである。このダイレクトパス６０の確立要求とは、他のノード装置に対してダイレクトパス６０の確立を要求するものである。
【００３９】
ダイレクトパス確立応答手段１０２は、発信者ネットワークノード装置２０からのダイレクトパス６０を確立したことを示すメッセージを受信するものである。また、ダイレクトパス確立応答手段１０２は、ダイレクトパスを確立する（リソースを予約）。このメッセージには、発信者ネットワークノード装置２０から複数の中継ノード装置３０を介して着信者ネットワークノード装置４０までの経路が含まれても良い。
【００４０】
パス情報格納手段１０３は、ダイレクトパス確立応答手段１０２が受信したダイレクトパス６０の経路、パスＩＤやパスのステータス等の情報を格納して管理するものである。また、ＤＢ１０４は、自体のＩＤ（発信者ユーザノード装置１０のＩＤ）と、発信者ネットワークノード装置２０のＩＤ（境界ネットワークノードＩＤ）、ＵＮＩポートのＩＤ、ＵＮＩポートの種別、ダイレクトパス６０の経路、及び、リソース（帯域）等を保持するものである。
【００４１】
［着信者ユーザノード装置の構成]
着信者ユーザノード装置５０は、図２に示すように、ダイレクトパス確立要求手段５０１と、ダイレクトパス確立応答手段５０２と、パス情報格納手段５０３と、ＤＢ（データベース）５０４とを備える。
【００４２】
ダイレクトパス確立要求手段５０１は、着信者ネットワークノード装置４０からのダイレクトパス６０の確立要求を受信するものである。
ダイレクトパス確立応答手段５０２は、着信者ネットワークノード装置４０に対し、ダイレクトパス６０を確立したことを示すメッセージを送信するものである。
【００４３】
なお、着信者ユーザノード装置５０が備えるパス情報格納手段５０３及びＤＢ５０４は、発信者ユーザノード装置１０と同様の構成であるため、説明を省略する。
【００４４】
［サーバ装置の構成]
図３に、第１実施形態に係るサーバ装置、発信者ネットワークノード装置、中継ノード装置及び着信者ネットワークノード装置のブロック図を示す。
【００４５】
サーバ装置３は、ネットワーク１の帯域を含むリソースの情報を時間毎に格納すると共に、パス受付制御不能な発信者ユーザノード装置１０からのパスを収容するために、予めパスを収容するためのリソースを割り当て、割り当てたリソースに対してダイレクトパスを確立させる。また、サーバ装置３は、リソース管理手段３０１と、経路計算手段３０２と、ダイレクト用リソース設定要求／応答手段３０３と、パス情報格納手段３０４と、パス確立／完了通知受信手段３０５と、パス情報更新手段３０６と、ＤＢ（データベース）３０７とを備えている。
【００４６】
リソース管理手段３０１は、発信者ユーザノード装置１０からのダイレクトパスの確立要求に備え、ＤＢ３０７を参照し、ネットワーク１におけるリソースを計算するものである。このリソースの管理は、ネットワークの全リソースから、サーバ装置３が管理可能な予約された予約パス（予約されたリソース）を差し引いた割り当て可能なリソースを計算するものである。ここで、リソース管理手段３０１は、図４に示すように、時間軸を考慮したパス計算を行うためのネットワーク１のリソースとして、（ＮＷ全リソース情報）−（予約開始時間（開始Ｘ時）〜予約終了時間（終了Ｙ時）に関係する全パス情報）を用いる。このＮＷ全リソース情報とは、後記するノード情報と、ＵＮＩリンク情報と、ノード装置リンク情報とを示す。また、この予約開始時間〜予約終了時間に関係する全パス情報とは、予約開始時間〜予約終了時間における、パス情報と、パス経路情報と、予約パス情報と、予約パス経路情報とを指す。なお、予約パスは高信頼パスのリソースを用いて確立するので、リソース管理手段３０１は、予約パスを確立する際、パス情報を確認する必要がある。また、リソース管理手段３０１では、予約パスがある時間帯（時間）に集中することがあっても、ネットワーク１の全リソースを予約パスに割り当てることをせずに、所定のリソースを、ダイレクトパス６０のために確保している。なお、サーバ装置３が管理可能な予約パスとは、パス情報に設定された予約パスである。
【００４７】
経路計算手段３０２は、リソース管理手段３０１が計算した割り当て可能なリソースに基づいて、ダイレクトパス６０を収容又は通過するためのパスの経路を計算するものである。経路計算手段３０２は、例えば、このパスの経路をＥｄｍｏｎｄ−Ｋａｒｐ法により計算する。このダイレクトパス６０を収容又は通過するためのパスとは、例えば、発信者ネットワークノード装置２０と着信者ネットワークノード装置４０との間における、ダイレクトパス６０を収容する１個又は複数のパス、あるいは、ダイレクトパス６０を通過させる１個又は複数のパスである。つまり、第１実施形態では、ダイレクトパス６０と、ダイレクトパス６０を収容又は通過するためのパスとを確立することになる。
【００４８】
ダイレクト用リソース設定要求／応答手段３０３は、前記したパスの経路の設定要求を、発信者ネットワークノード装置２０に対して送信するものである。ダイレクト用リソース設定要求／応答手段３０３は、ダイレクトパス６０に用いるリソースの識別情報としてのＣｏｌｏｒ（ｒｅｓｏｕｒｅ  ｃｌａｓｓ）を含めても良く、パスの経路のコストを示す属性情報を含めても良い。なお、この設定要求とは、ダイレクトパス６０を収容又は通過するためのパスの設定を要求することである。
【００４９】
パス情報格納手段３０４は、設定を要求したパスや確立したダイレクトパス６０の経路を、ＤＢ３０７の予約パス情報に格納するものである。パス情報格納手段３０４は、例えば、パス確立／完了通知受信手段３０５がダイレクトパス６０の確立を完了したことを示すメッセージを受信した場合、そのダイレクトパス６０について、パス情報のステータスを「確立済み」に更新する。
【００５０】
パス確立／完了通知受信手段３０５は、発信者ネットワークノード装置１０からダイレクトパス６０の確立を完了したことを示すメッセージを受信するものである。
パス情報更新手段３０６は、パス情報の更新があったことをパス情報格納手段３０４に通知するものである。
【００５１】
以下、図５〜図７を参照して、ＤＢ３０７が格納するパス情報について説明する。ここで、図５（ａ）は、データ構造を説明するためのネットワークの概略図であり、図５（ｂ）はノード情報のデータ構造を示し、図５（ｃ）はＵＮＩリンク情報のデータ構造を示し、図５（ｄ）はノード装置リンク情報のデータ構造を示す図である。
【００５２】
ＤＢ３０７は、例えば、後記する図５（ｂ）のノード情報と、図５（ｃ）のＵＮＩリンク情報と、図５（ｄ）のノード装置リンク情報と、図６（ｂ）の予約パス情報と、図６（ｃ）の予約パス経路情報と、図７（ｂ）のパス情報と、図７（ｃ）のパス経路情報と、を格納する。
【００５３】
図５（ｂ）に示すように、ノード情報は、発信者ネットワークノード装置１０、着信者ネットワークノード装置２０及び中継ノード装置３０等の各ノード装置に関する情報、例えば、ノードＩＤと、ノードアドレスと、ノード名と、ノード種別（例えば、ＴＤＭ  Ｓｗｉｔｃｈノード，Ｅｔｈｅｒ  Ｓｗｉｔｃｈノード，Ｌａｍｂｄａ  Ｓｗｉｔｃｈノード等）とをデータ項目として有する。
【００５４】
図５（ｃ）に示すように、ＵＮＩリンク情報は、図５（ａ）のＵＮＩ区間のリンク情報、つまり、発信者ユーザノード装置４０から発信者ネットワークノード装置１０までの接続及び着信者ユーザノード装置２０から発信者ネットワークノード装置５０までの接続に関する情報を有する。ＵＮＩリンク情報は、例えば、ＵＮＩＰｒｏｔＩＤと、ユーザノードＩＤと、境界ネットワークノードＩＤと、ＵＮＩポート種別（例えば、ＴＤＭ，Ｅｔｈｅｒ等）と、帯域、セクション名と、搭載位置と、ユーザＩＤとをデータ項目として有する。
【００５５】
図５（ｄ）に示すように、ノード装置リンク情報は、図５（ａ）のＵＮＩ区間以外のリンク情報、つまり、発信者ネットワークノード装置１０と着信者ネットワークノード装置２０との接続に関する情報を有する。ノード装置リンク情報は、例えば、ＬｉｎｋＩＤと、端点ＡノードＩＤと、端点Ａノードアドレスと、端点ＡインターフェースＩＤと、端点Ａ搭載位置と、端点ＺノードＩＤと、端点Ｚノードアドレスと、端点ＺノードインターフェースＩＤと、端点Ｚ搭載位置と、リンク属性（プロテクション属性）と、リンク種別（例えば、ＴＤＭ，Ｅｔｈｅｒ等）と、帯域と、セクション名とをデータ項目として有する。
【００５６】
図６（ａ）はデータ構造を説明するためのネットワークの概略図であり、図６（ｂ）は予約パス情報のデータ構造を示し、図６（ｃ）は予約パス経路情報のデータ構造を示す図である。
【００５７】
図６（ｂ）に示すように、予約パス情報は、予約パスに関する情報、例えば、予約ＩＤと、予約ユーザＩＤと、サービスタイプと、端点Ａ側ノードと、端点Ａ側ＵＮＩＰｏｒｔと、端点Ｚ側ノードと、端点Ｚ側ＵＮＩＰｏｒｔと、予約開始時間と、予約終了時間と、予約済み又は確立済みを示すステータスと、要求帯域と、パス属性とをデータ項目として有する。ここで、予約パスとは、予め設定された予約開始時間から予約終了時間まで、特定の発信者ユーザノード装置１０に提供されるダイレクトパス６０のことである。
【００５８】
図６（ｃ）に示すように、予約パス経路情報は、予約パスの経路に関する情報、例えば、予約ＩＤと、経路情報端点Ａ、経路情報Ｘ（経路数分の経路情報）、経路情報Ｘ＋Ｎ、経路情報端点Ｚを有するものである。なお、予約パス経路情報には、タイムスロット値やλ値を含めても良い。
【００５９】
図７（ａ）はデータ構造を説明するためのネットワークの概略図であり、図７（ｂ）はパス情報のデータ構造を示し、図７（ｃ）はパス経路情報のデータ構造を示す図である。
【００６０】
図７（ｂ）に示すように、パス情報は、ダイレクトパスを収容又は通過するためのパスに関する情報、例えば、パスＩＤと、端点Ａ側ノードと、端点Ｚ側ノードと、開始時間と、終了時間と、未確立、予約済み又は確立済みを示すステータスと、要求帯域と、パス属性とをデータ項目として有する。
【００６１】
図７（ｃ）に示すように、パス経路情報は、ダイレクトパスを収容又は通過するためのパスの経路に関する情報、例えば、パスＩＤと、経路情報端点Ａ、経路情報Ｘ（経路数分）、経路情報Ｘ＋Ｎ、経路情報端点Ｚを有するものである。なお、パス経路情報には、タイムスロット値やλ値を含めても良い。
【００６２】
なお、ＵＮＩ用のリソースが不足すると、サーバ装置３が管理可能な予約パスのためのリソースをダイレクトパスとして確立される危険性がある。このため、サーバ装置３は、ダイレクトパスが、割り当て可能な前記リソース以外のリソースを用いて確立された場合、ダイレクトパス確立完了情報を取得し、このダイレクトパスを強制的に解放する。また、この場合、サーバ装置３は、サーバ装置３が管理可能な予約パスのためのリソースを用いてダイレクトパスが確立された場合、予約パスを確立する際に、ダイレクトパスを解放するＰｒｅ−ｅｍｐｔｉｏｎ機能を備える。
【００６３】
[発信者ネットワークノード装置の構成]
発信者ネットワークノード装置２０は、図３に示すように、パス確立／完了通知手段２０１と、ダイレクト用リソース設定要求受信／応答手段２０２と、ダイレクト用リソース設定手段２０３と、経路計算手段２０４と、パス情報格納手段２０５と、ＤＢ（データベース）２０６と、ダイレクトパス確立要求受信手段２０７と、パス確立手段２０８と、ダイレクトパス確立応答手段２０９とを備えている。
【００６４】
パス確立／完了通知手段２０１は、ダイレクトパス６０の確立を完了したことを示すメッセージをサーバ装置３に送信するものである。
ダイレクト用リソース設定要求受信／応答手段２０２は、パスの経路の設定要求を受信するものである。また、ダイレクト用リソース設定要求受信／応答手段２０２は、ダイレクト用リソース設定手段２０３がパスを設定したら、ダイレクトパス６０が設定されたことを示すメッセージをサーバ装置３に送信する。
なお、発信者ネットワークノード装置（境界ネットワークノード装置）１０は、ＧＭＰＬＳ−ＵＮＩパスが確立されたことを示す情報をサーバ装置３に送信しても良い。この場合、サーバ装置３は、この情報に基づいて、ダイレクトパスを収容又は通過するためのパスの残余帯域を把握し、追加のパスを確立しても良い。
【００６５】
ダイレクト用リソース設定手段２０３は、ダイレクト用リソース設定要求受信／応答手段２０２が受信した設定要求に応じて、このパスのためのリソースを確保してパスを設定するものである。また、ダイレクト用リソース設定手段２０３は、この設定要求を、中継ノード装置３０を介して、着信者ネットワークノード装置４０に送信する。
【００６６】
経路計算手段２０４は、発信者ユーザノード装置１０からダイレクトパス６０の確立要求に応じて、発信者ネットワークノード装置２０から着信者ネットワークノード装置４０までの間を含めたダイレクトパス６０の経路を計算するものである。ここで、サーバ装置３からＣｏｌｏｒが送信された場合、経路計算手段２０４は、ＣＳＰＦ法等の経路計算によって、このＣｏｌｏｒに基づいて、ダイレクトパス６０の経路を計算しても良い。さらに、サーバ装置３からパスの経路のコストを示す属性情報が送信された場合、経路計算手段２０４は、ＣＳＰＦ法等の経路計算によって、コストが低いパスを確立するようにダイレクトパス６０の経路を計算しても良い。なお、経路計算手段２０４は、発信者ネットワークノード装置２０から着信者ネットワークノード装置４０までの間の経路計算を行えば良く、これらノード装置間以外の経路計算を行わなくとも良い。
【００６７】
パス情報格納手段２０５は、設定されたパス（パスのためのリソース）の経路や確立したダイレクトパス６０の経路をＤＢ２０６のパス情報に格納するものである。
ＤＢ２０６は、サーバ装置３から確立要求のあったパスとダイレクトパス６０とに関する情報を有するものである。
ダイレクトパス確立要求受信手段２０７は、発信者ユーザノード装置１０からのダイレクトパス６０の確立要求を受信するものである。
【００６８】
パス確立手段２０８は、経路計算手段２０４が計算したダイレクトパス６０を確立するものである。また、パス確立手段２０８は、このダイレクトパス６０の確立要求を、中継ノード装置３０を介して、着信者ネットワークノード装置４０に送信する。パス確立手段２０８は、発信者ユーザノード装置１０との間では、発信者ユーザノード装置１０が指定した経路（Ｓｔａｔｉｃ経路）にてパスを確立しても良い。なお、ダイレクトパス６０の確立とは、発信者ユーザノード装置１０と着信者ユーザノード装置５０とをデータ通信可能な状態とすることである。
ダイレクトパス確立応答手段２０９は、着信者ネットワークノード装置４からのダイレクトパス６０を確立したことを示すメッセージを発信者ユーザノード装置１０に送信するものである。
【００６９】
[中継ノード装置の構成]
中継ノード装置３０は、図３に示すように、ダイレクト用リソース設定手段３３３と、パス確立手段３３８とを備える。
【００７０】
ダイレクト用リソース設定手段３３３は、ダイレクト用リソース設定手段２０３と同様にダイレクトパス６０を設定するものである。
パス確立手段３３８は、パス確立手段２０８と同様にダイレクトパス６０を確立するものである。
【００７１】
[着信者ネットワークノード装置の構成]
着信者ネットワークノード装置４０は、図３に示すように、ダイレクト用リソース設定手段４０３と、パス情報格納手段４０５と、ＤＢ（データベース）４０６と、ダイレクトパス確立要求手段４０７と、パス確立手段４０８と、ダイレクトパス確立応答手段４０９とを備えている。
【００７２】
ダイレクト用リソース設定手段４０３は、ダイレクト用リソース設定手段２０３と同様にダイレクトパス６０を設定するものである。
パス情報格納手段４０５は、パス情報格納手段２０５と同様に、このリソースの情報をＤＢ４０６に格納する。
ＤＢ４０６は、ＤＢ２０６と同様のものである。
【００７３】
ダイレクトパス確立要求手段４０７は、着信者ユーザノード装置５０にダイレクトパス６０の確立要求を送信するものである。
パス確立手段４０８は、パス確立手段２０８と同様にダイレクトパス６０を確立するものである。
ダイレクトパス確立応答手段４０９は、着信者ユーザノード装置５０からのダイレクトパス６０を確立したことを示すメッセージを、発信者ネットワークノード装置２０に送信するものである。
【００７４】
[ダイレクトパス確立ネットワークの動作]
図８は、図３のダイレクトパス確立ネットワークの動作を示すフローチャートである。なお、図８及び以下の説明では、ネットワーク管理サーバ装置及び中継ノード装置を省略した。
【００７５】
サーバ装置３は、リソース管理手段３０１によって、発信者ユーザノード装置１０からのダイレクトパスの確立要求に備え、ＤＢ３０７を参照し、ネットワーク１の全リソースから、サーバ装置３が管理可能な予約パス（予約されたリソース）を差し引いた割り当て可能なリソースを計算する（Ｓ１２０１）。サーバ装置３は、リソース管理手段３０１が計算した割り当て可能なリソースに基づいて、ダイレクトパス６０を収容又は通過するためのパスの経路を計算する（Ｓ１２０２）。サーバ装置３は、ダイレクト用リソース設定要求／応答手段３０３によって、パスの経路の設定を、発信者ネットワークノード装置２０に対して要求する（Ｓ１２０３）。サーバ装置３は、パス情報格納手段３０４によって、パスの経路をＤＢ３０７のパス情報に格納する（Ｓ１２０４）。
【００７６】
ステップＳ１２０３の処理に応じて、発信者ネットワークノード装置２０は、ダイレクト用リソース設定要求受信／応答手段２０２によって、サーバ装置３からパスの設定要求を受信する（Ｓ１３０１）。発信者ネットワークノード装置２０は、ダイレクト用リソース設定手段２０３によって、この設定要求に応じて、このパス（パスのためのリソース）を設定し、この設定要求を、中継ノード装置３０を介して、着信者ネットワークノード装置４０に送信する（Ｓ１３０２）。発信者ネットワークノード装置２０は、パス情報格納手段２０５によって、ダイレクト用リソース設定手段２０３がパスを設定したら、このパス６０の経路をＤＢ２０６のパス情報に格納する（Ｓ１３０３）。発信者ネットワークノード装置２０は、ダイレクト用リソース設定要求受信／応答手段２０２によって、ダイレクトパス６０が設定されたことを示すメッセージをサーバ装置３に送信する（Ｓ１３０４）。
【００７７】
ステップＳ１３０２の処理に応じて、着信者ネットワークノード装置４０は、ダイレクト用リソース設定手段４０３によって、パス（パスのためのリソース）を設定する（Ｓ１４０１）。着信者ネットワークノード装置４０は、パス情報格納手段４０５によって、このパスの経路をＤＢ４０６のパス情報に格納する（Ｓ１４０２）。
【００７８】
ステップＳ１３０４の処理に応じて、サーバ装置３は、パス確立／完了通知受信手段３０５によって、ダイレクトパス６０が設定されたことを示すメッセージを受信する（Ｓ１２０５）。サーバ装置３は、パス情報更新手段３０６によって、パス情報の更新をパス情報格納手段３０４に通知し（Ｓ１２０６）、パス情報格納手段３０４によって、更新したパス情報をＤＢ３０７に格納する（Ｓ１２０７）。
【００７９】
次に、発信者ユーザノード装置１０は、ダイレクトパス確立要求手段１０１によって、発信者ネットワークノード装置２０に対し、ダイレクトパス６０の確立要求を送信する（Ｓ１１０１）。
【００８０】
ステップＳ１１０１の処理に応じて、発信者ネットワークノード装置２０は、ダイレクトパス確立要求受信手段２０７によって、発信者ユーザノード装置１０からのダイレクトパス６０の確立要求を受信する（Ｓ１３０５）。発信者ネットワークノード装置２０は、経路計算手段２０４によって、発信者ユーザノード装置１０からダイレクトパス６０の確立要求に応じて、サーバ装置３から要求されたパスの経路に基づいて、発信者ネットワークノード装置２０から着信者ネットワークノード装置４０までの間を含めたダイレクトパス６０の経路を計算する（Ｓ１３０６）。発信者ネットワークノード装置２０は、パス確立手段２０８によって、経路計算手段２０４が計算したダイレクトパス６０を確立すると共に、このダイレクトパス６０の確立要求を、中継ノード装置３０を介して、着信者ネットワークノード装置４０に送信する（Ｓ１３０７）。
【００８１】
ステップＳ１３０７の処理に応じて、着信者ネットワークノード装置４０は、パス確立手段４０８によって、ダイレクトパス６０を確立する（Ｓ１４０３）。着信者ネットワークノード装置４０は、ダイレクトパス確立要求手段４０７によって、着信者ユーザノード装置５０にダイレクトパス６０の確立要求を送信する（Ｓ１４０４）。
【００８２】
ステップＳ１４０４の処理に応じて、着信者ユーザノード装置５０は、ダイレクトパス確立要求手段５０１によって、着信者ネットワークノード装置４０からのダイレクトパス６０の確立を示すメッセージを受信し、ダイレクトパス６０の確立する（Ｓ１５０１）。着信者ユーザノード装置５０は、ダイレクトパス確立応答手段５０２によって、着信者ネットワークノード装置４０に対し、ダイレクトパス６０を確立したことを示すメッセージを送信する（Ｓ１５０２）。
【００８３】
ステップＳ１５０２の処理に応じて、着信者ネットワークノード装置４０は、ダイレクトパス確立応答手段４０９によって、着信者ユーザノード装置５０からのダイレクトパス６０を確立したことを示すメッセージを、発信者ネットワークノード装置２０に送信する（Ｓ１４０５）。着信者ネットワークノード装置４０は、パス情報格納手段４０５によって、確立したダイレクトパス６０の経路を、ＤＢ４０６のパス情報に格納する（Ｓ１４０６）。
【００８４】
ステップＳ１４０５の処理に応じて、発信者ネットワークノード装置２０は、ダイレクトパス確立応答手段２０９によって、着信者ネットワークノード装置４０からのダイレクトパス６０を確立したことを示すメッセージを発信者ユーザノード装置１０に送信する（Ｓ１３０８）。発信者ネットワークノード装置２０は、パス情報格納手段２０５によって、確立したダイレクトパス６０の経路を格納する（Ｓ１３０９）。発信者ネットワークノード装置２０は、パス確立／完了通知手段２０１によって、ダイレクトパス６０の確立を完了したことを示すメッセージをサーバ装置３に送信する（Ｓ１３１０）。
【００８５】
ステップＳ１３１０の処理に応じて、サーバ装置３は、パス確立／完了通知受信手段３０５によって、発信者ネットワークノード装置１０からダイレクトパス６０の確立を完了したことを示すメッセージを受信する（Ｓ１２０８）。サーバ装置３は、パス情報更新手段３０５によって、パス情報の更新を通知し（Ｓ１２０９）、パス情報格納手段３０４によって、更新したパス情報をＤＢ３０７に格納する（Ｓ１２１０）。
【００８６】
ステップＳ１３０８の処理に応じて、発信者ユーザノード装置１０は、ダイレクトパス確立応答手段１０２によって、発信者ネットワークノード装置２０からダイレクトパス６０を確立したことを示すメッセージを受信する（Ｓ１１０２）。発信者ユーザノード装置１０は、パス情報格納手段１０３によって、ダイレクトパス確立応答手段１０２が受信したダイレクトパス６０の経路を格納する（Ｓ１１０３）。以上の動作によって、ダイレクトパス確立ネットワーク１は、ダイレクトパス６０を確立する。
【００８７】
（第２実施形態）
［サーバ装置の構成］
以下、本発明の第２実施形態について説明する。図９に、第２実施形態に係るサーバ装置、発信者ネットワークノード装置、中継ノード装置及び着信者ネットワークノード装置のブロック図を示す。
【００８８】
サーバ装置３は、リソース管理手段３０１と、経路計算手段３０２と、パス情報格納手段３０４と、パス確立／完了通知受信手段３０５と、パス情報更新手段３０６と、ＤＢ（データベース）３０７と、経路計算応答手段３０８とを備えている。
【００８９】
リソース管理手段３０１は、経路計算応答手段３０８が受信したダイレクトパス６０の経路の計算要求に応じて、ＤＢ３０７を参照し、ネットワーク１における全てのリソースから予約パスのための前記リソースを差し引いた割り当て可能なリソースを計算するものである。
【００９０】
経路計算手段３０２は、割り当て可能なリソースに基づいて、発信者ネットワークノード装置２０から着信者ネットワークノード装置４０までの間を含めたダイレクトパス６０の経路を計算するものである。なお、第２実施形態では、ダイレクトパス６０を収容又は通過するためのパスを確立せず、ダイレクトパス６０のみの経路を計算して確立することになる。
【００９１】
経路計算応答手段３０８は、発信者ネットワークノード装置２０からのダイレクトパス６０の経路の計算要求を受信すると共に、経路計算手段３０２が計算したダイレクトパス６０の経路を発信者ネットワークノード装置２０に対して送信するものである。
【００９２】
なお、パス情報格納手段３０４と、パス確立／完了通知受信手段３０５と、パス情報更新手段３０６と、ＤＢ３０７とについては、図３に示した構成と同様のものであるため、説明を省略する。
【００９３】
[発信者ネットワークノード装置の構成]
発信者ネットワークノード装置２０は、パス確立／完了通知手段２０１と、パス情報格納手段２０５と、ＤＢ（データベース）２０６と、ダイレクトパス確立要求受信手段２０７と、パス確立手段２０８と、ダイレクトパス確立応答手段２０９と、経路計算要求手段２１０とを備えている。
【００９４】
経路計算要求手段２１０は、ダイレクトパス確立要求受信手段２０７が受信したダイレクトパス６０の確立要求に応じて、ダイレクトパス６０の経路の計算要求をサーバ装置３に送信するものである。また、経路計算要求手段２１０は、サーバ装置３から送信されたダイレクトパス６０の経路を受信する。
【００９５】
なお、パス確立／完了通知手段２０１と、パス情報格納手段２０５と、ＤＢ２０６と、ダイレクトパス確立要求受信手段２０７と、パス確立手段２０８と、ダイレクトパス確立応答手段２０９とについては、図３に示した構成と同様のものであるため、説明を省略する。
【００９６】
[中継ノード装置の構成]
中継ノード装置３０は、パス確立手段３３８を備える。なお、パス確立手段３３８については、図３に示した構成と同様のものであるため、説明を省略する。
【００９７】
[着信者ネットワークノード装置の構成]
着信者ネットワークノード装置４０は、パス情報格納手段４０５と、ＤＢ（データベース）４０６と、ダイレクトパス確立要求手段４０７と、パス確立手段４０８と、ダイレクトパス確立応答手段４０９とを備えている。なお、パス情報格納手段４０５と、ＤＢ（データベース）４０６と、ダイレクトパス確立要求手段４０７と、パス確立手段４０８と、ダイレクトパス確立応答手段４０９とについては、図３に示した構成と同様のものであるため、説明を省略する。また、発信者ユーザノード装置１０及び着信者ユーザノード装置５０は、図２に示した構成と同様のものであるため、説明を省略する。
【００９８】
[ダイレクトパス確立ネットワークの動作]
図１０は、図９のダイレクトパス確立ネットワークの動作を示すフローチャートである。なお、図１０及び以下の説明では、ネットワーク管理サーバ装置及び中継ノード装置を省略した。
【００９９】
まず、発信者ユーザノード装置１０は、ダイレクトパス確立要求手段１０１によって、発信者ネットワークノード装置２０に対し、ダイレクトパス６０の確立要求を送信する（Ｓ２１０１）。
【０１００】
ステップＳ２１０１の処理に応じて、発信者ネットワークノード装置２０は、ダイレクトパス確立要求受信手段２０７によって、ダイレクトパス６０の確立要求を受信する（Ｓ２３０１）。発信者ネットワークノード装置２０は、経路計算要求手段２１０によって、ダイレクトパス６０の経路の計算要求をサーバ装置３に送信する（Ｓ２３０２）。
【０１０１】
ステップＳ２３０２の処理に応じて、サーバ装置３は、経路計算応答手段３０８によって、発信者ネットワークノード装置２０からのダイレクトパス６０の経路の計算要求を受信する（Ｓ２２０１）。サーバ装置３は、リソース管理手段３０１によって、ＤＢ３０７を参照し、ネットワーク１の全リソースから、予約パス（予約されたリソース）を差し引いた割り当て可能なリソースを計算する（Ｓ２２０２）。サーバ装置３は、リソース管理手段３０１が計算した割り当て可能なリソースに基づいて、発信者ネットワークノード装置２０から着信者ネットワークノード装置４０までの間を含めたダイレクトパス６０の経路を計算する（Ｓ２２０３）。サーバ装置３は、経路計算応答手段３０８によって、経路計算手段３０２が計算したダイレクトパス６０の経路を発信者ネットワークノード装置２０に対して送信する（Ｓ２２０４）。
【０１０２】
ステップＳ２２０４の処理に応じて、発信者ネットワークノード装置２０は、経路計算要求手段２１０によって、サーバ装置３からダイレクトパス６０の経路を受信する（Ｓ２３０３）。発信者ネットワークノード装置２０は、経路計算要求手段２１０が受信したダイレクトパス６０を確立すると共に、このダイレクトパス６０の確立要求を、中継ノード装置３０を介して、着信者ネットワークノード装置４０に送信する（Ｓ２３０４）。なお、ダイレクトパス６０を確立した後の処理、具体的には、図１０のステップＳ２３０５，Ｓ２３０６，Ｓ２３０７は、図８のＳ１３０８，Ｓ１３０９，Ｓ１３１０と同様の処理のため、説明を省略する。
【０１０３】
ステップＳ２３０４の処理に応じて、着信者ネットワークノード装置４０は、パス確立手段４０８によって、ダイレクトパス６０を確立する（Ｓ２４０１）。なお、ダイレクトパス６０を確立した後の処理、具体的には、図１０のステップＳ２４０２，Ｓ２４０３，Ｓ２４０４は、図８のＳ１４０４，Ｓ１４０５，Ｓ１４０６と同様の処理のため、説明を省略する。
【０１０４】
ステップＳ２４０２の処理に応じて、着信者ユーザノード装置５０は、ダイレクトパス確立要求手段５０１によって、着信者ネットワークノード装置４０からのダイレクトパス６０を確立したことを示すメッセージを受信し、ダイレクトパス６０の確立する（Ｓ２５０１）。着信者ユーザノード装置５０は、ダイレクトパス確立応答手段５０２によって、着信者ネットワークノード装置４０に対し、ダイレクトパス６０を確立したことを示すメッセージを送信する（Ｓ２５０２）。
【０１０５】
ステップＳ２３０７の処理に応じて、サーバ装置３は、パス確立／完了通知受信手段３０５によって、発信者ネットワークノード装置１０からダイレクトパス６０の確立を完了したことを示すメッセージを受信する（Ｓ２２０５）。サーバ装置３は、パス情報更新手段３０５によって、パス情報の更新をパス情報格納手段３０４に通知し（Ｓ２２０６）、パス情報格納手段３０４によって、この更新したパス情報をＤＢ３０７に格納する（Ｓ２２０７）。
【０１０６】
ステップＳ２３０５の処理に応じて、発信者ユーザノード装置１０は、ダイレクトパス確立応答手段１０２によって、発信者ネットワークノード装置２０からのダイレクトパス６０を確立したことを示すメッセージを受信する（Ｓ２１０２）。発信者ユーザノード装置１０は、パス情報格納手段１０３によって、ダイレクトパス確立応答手段１０２が受信したダイレクトパス６０の経路を格納する（Ｓ２１０３）。以上のように、第２実施形態に係るダイレクトパス確立ネットワーク１は、ダイレクトパス６０を直接確立できるので、ネットワークの利用効率を向上させることができる。
【０１０７】
（第３実施形態）
［発信者ユーザノード装置の構成］
以下、本発明の第３実施形態について説明する。図１１に、第３実施形態に係る発信者ユーザノード装置及び着信者ユーザノード装置のブロック図を示す。図１１に示すように、発信者ユーザノード装置１０は、サーバ装置ＩＦ１００ａと、ダイレクトパス確立要求手段１０１と、ダイレクトパス確立応答手段１０２と、パス情報格納手段１０３と、ＤＢ（データベース）１０４とを備える。
【０１０８】
サーバ装置ＩＦ（Ｉｎｔｅｒｆａｃｅ）１００ａは、Ｗｅｂ等を介して、サーバ装置３とのインターフェースとなるものであり、ダイレクトパス確立要求手段１０１ａと、ダイレクトパス確立応答手段１０２ａとを備える。
例えば、ダイレクトパス確立要求手段１０１ａは、ＷｅｂＩＦ（Ｗｅｂ  Ｉｎｔｅｒｆａｃｅ）等を用いて、サーバ装置３に対し、ダイレクトパス６０の計算要求を送信するものである。
例えば、ダイレクトパス確立応答手段１０２ａは、ＷｅｂＩＦ等を用いて、サーバ装置３からダイレクトパス６０が確立可能なことを示すメッセージを受信するものである。
【０１０９】
なお、ダイレクトパス確立要求手段１０１と、ダイレクトパス確立応答手段１０２と、パス情報格納手段１０３と、ＤＢ１０４とについては、図２に示した構成と同様のものであるため、説明を省略する。また、着信者ユーザノード装置５０の各手段も、図２に示した構成と同様のものであるため、説明を省略する。
【０１１０】
［サーバ装置の構成]
図１２に、第３実施形態に係るサーバ装置、発信者ネットワークノード装置、中継ノード装置及び着信者ネットワークノード装置のブロック図を示す。
【０１１１】
サーバ装置３は、リソース管理手段３０１と、経路計算手段３０２と、ダイレクト用リソース設定要求／応答手段３０３と、パス情報格納手段３０４と、パス確立／完了通知受信手段３０５と、パス情報更新手段３０６と、ＤＢ（データベース）３０７と、ダイレクトパス確立要求受信手段３０９と、ダイレクトパス確立応答手段３１０と、を備えている。
【０１１２】
リソース管理手段３０１は、ダイレクトパス確立要求受信手段３０９が受信したダイレクトパス６０の計算要求に応じて、ＤＢ３０７を参照し、リソースを計算するものである。
ダイレクトパス確立要求受信手段３０９は、ＷｅｂＩＦ等を用いて、発信者ユーザノード装置１０からダイレクトパス６０の計算要求を受信するものである。
ダイレクトパス確立応答手段３１０は、ＷｅｂＩＦ等を用いて、発信者ユーザノード装置１０にダイレクトパス６０が確立可能なことを示すメッセージを送信するものである。
【０１１３】
なお、リソース管理手段３０１と、経路計算手段３０２と、ダイレクト用リソース設定要求／応答手段３０３と、パス情報格納手段３０４と、パス確立／完了通知受信手段３０５と、パス情報更新手段３０６と、ＤＢ３０７とについては、図３に示した構成と同様のものであるため、説明を省略する。また、発信者ネットワークノード装置１０、中継ノード装置３０及び着信者ネットワークノード装置５０は、図３に示した構成と同様のものであるため、説明を省略する。
【０１１４】
[ダイレクトパス確立ネットワークの動作]
図１３は、図１２のダイレクトパス確立ネットワークの動作を示すフローチャートである。なお、図１３及び以下の説明では、ネットワーク管理サーバ装置及び中継ノード装置を省略した。
【０１１５】
まず、発信者ユーザノード装置１０は、ダイレクトパス確立要求手段１０１ａによって、サーバ装置３に対し、ダイレクトパス６０の計算要求を送信する（Ｓ３１０１）。
【０１１６】
ステップＳ３１０１の処理に応じて、サーバ装置３は、ダイレクトパス確立要求受信手段３０９によって、パス受付制御不能な発信者ユーザノード装置１０からダイレクトパス６０の計算要求を受信する（Ｓ３２０１）。なお、ダイレクトパス６０の計算要求を受信した後の処理、具体的には、図１３のＳ３２０２，Ｓ３２０３，Ｓ３２０４，Ｓ３２０５は、図８のＳ１２０１，Ｓ１２０２，Ｓ１２０３，Ｓ１２０４と同様の処理のため、説明を省略する。
【０１１７】
ステップＳ３２０５の処理に続いて、サーバ装置３は、ダイレクトパス確立応答手段３１０によって、発信者ユーザノード装置１０にダイレクトパス６０が確立可能なことを示すメッセージを送信する（Ｓ３２０６）。ステップＳ３２０６の処理に応じて、発信者ユーザノード装置１０は、ダイレクトパス確立応答手段１０２ａによって、サーバ装置３からダイレクトパス６０が確立可能なことを示すメッセージを受信する（Ｓ３１０２）。
【０１１８】
ステップＳ３２０４の処理に応じて、発信者ネットワークノード装置２０は、ダイレクト用リソース設定要求受信／応答手段２０２によって、サーバ装置３からパスの設定要求を受信する（Ｓ３３０１）。なお、パスの設定要求を受信した後の処理、具体的には、図１３のＳ３３０２，Ｓ３３０３，Ｓ３３０４は、図８のＳ１３０２，Ｓ１３０３，Ｓ１３０４と同様の処理のため、説明を省略する。
【０１１９】
ステップＳ３３０２の処理に応じて、着信者ネットワークノード装置４０は、ダイレクト用リソース設定手段４０３によって、パス（パスのためのリソース）を設定する（Ｓ３４０１）。着信者ネットワークノード装置４０は、パス情報格納手段４０５によって、このパスの経路をＤＢ２０６のパス情報に格納する（Ｓ３４０２）。
【０１２０】
ステップＳ３３０４の処理に応じて、サーバ装置３は、パス確立／完了通知受信手段３０５によって、発信者ネットワークノード装置１０からダイレクトパス６０の確立を完了したことを示すメッセージを受信する（Ｓ３２０７）。サーバ装置３は、パス情報更新手段によって、パス情報の更新を通知し（Ｓ３２０８）、パス情報格納手段３０４によって、この更新したパス情報をＤＢ３０７に格納する（Ｓ３２０９）。
【０１２１】
次に、発信者ユーザノード装置１０は、ダイレクトパス確立要求手段１０１によって、発信者ネットワークノード装置２０に対し、ダイレクトパス６０の確立要求を送信する（Ｓ３１０３）。
【０１２２】
ステップＳ３１０３の処理に応じて、発信者ネットワークノード装置２０は、ダイレクトパス確立要求受信手段２０７によって、発信者ユーザノード装置１０からのダイレクトパス６０の確立要求を受信する（Ｓ３３０５）。なお、ダイレクトパス６０の確立要求を受信した後の処理、具体的には、図１３のＳ３３０６，Ｓ３３０７，Ｓ３３０８，Ｓ３３０９，Ｓ３３１０は、図８のＳ１３０６，Ｓ１３０７，Ｓ１３０８，Ｓ１３０９，Ｓ１３１０と同様の処理のため、説明を省略する。
【０１２３】
ステップＳ３３０８の処理に応じて、着信者ネットワークノード装置４０は、パス確立手段４０８によって、ダイレクトパス６０を確立する（Ｓ３４０３）。なお、ダイレクトパス６０を確立した後の処理、具体的には、図１０のステップＳ３４０４，Ｓ３４０５，Ｓ３４０６は、図８のＳ１４０４，Ｓ１４０５，Ｓ１４０６と同様の処理のため、説明を省略する。
【０１２４】
ステップＳ３４０４の処理に応じて、着信者ユーザノード装置５０は、ダイレクトパス確立要求手段５０１によって、着信者ネットワークノード装置４０からのダイレクトパス６０の確立を示すメッセージを受信し、ダイレクトパス６０の確立する（Ｓ３５０１）。着信者ユーザノード装置５０は、ダイレクトパス確立応答手段５０２によって、着信者ネットワークノード装置４０に対し、ダイレクトパス６０を確立したことを示すメッセージを送信する（Ｓ３５０２）。
【０１２５】
ステップＳ３３１０の処理に応じて、サーバ装置３は、パス確立／完了通知受信手段３０５によって、発信者ネットワークノード装置１０からダイレクトパス６０の確立を完了したことを示すメッセージを受信する（Ｓ３２１０）。サーバ装置３は、パス情報更新手段３０５によって、パス情報の更新をパス情報格納手段３０４に通知し（Ｓ３２１１）、パス情報格納手段３０４によって、この更新したパス情報をＤＢ３０７に格納する（Ｓ３２１２）。
【０１２６】
ステップＳ３３０８の処理に応じて、発信者ユーザノード装置１０は、ダイレクトパス確立応答手段１０２によって、発信者ネットワークノード装置２０からのダイレクトパス６０を確立したことを示すメッセージを受信する（Ｓ３１０４）。発信者ユーザノード装置１０は、パス情報格納手段１０３によって、ダイレクトパス確立応答手段１０２が受信したダイレクトパス６０の経路を格納する（Ｓ３１０５）。以上の動作によって、ダイレクトパス確立ネットワーク１は、ダイレクトパス６０のためのリソースとダイレクトパス６０とを１対１で確保できるため、ネットワーク１のリソースを高い精度で管理することができる。
【０１２７】
以上、本発明の各実施形態について説明したが、本発明はこれらに限定されるものではなく、その趣旨を変えない範囲で実施することができる。なお、各実施形態では、本発明に係るサーバ装置を独立した装置として説明したが、本発明では、一般的なコンピュータを、サーバ装置の前記した各手段として機能させるプログラムによって動作させることもできる。このプログラムは、通信回線を介して配布しても良く、ＣＤ−ＲＯＭやフラッシュメモリ等の記録媒体に書き込んで配布しても良い。
【０１２８】
なお、各実施形態では、本発明に係る発信者ネットワークノード装置を独立した装置として説明したが、本発明では、一般的なコンピュータを、発信者ネットワークノード装置の前記した各手段として機能させるプログラムによって動作させることもできる。このプログラムは、通信回線を介して配布しても良く、ＣＤ−ＲＯＭやフラッシュメモリ等の記録媒体に書き込んで配布しても良い。
【図面の簡単な説明】
【０１２９】
【図１】本発明の各実施形態に係るダイレクトパス確立ネットワークの構成図である。
【図２】第１実施形態に係る発信者ユーザノード装置及び着信者ユーザノード装置のブロック図である。
【図３】第１実施形態に係るサーバ装置、発信者ネットワークノード装置、中継ノード装置及び着信者ネットワークノード装置のブロック図である。
【図４】図３のリソース管理手段によるリソース管理を説明する図である。
【図５】（ａ）はデータ構造を説明するためのネットワークの概略図であり、（ｂ）はノード情報のデータ構造を示し、（ｃ）はＵＮＩリンク情報のデータ構造を示し、（ｄ）はノード装置リンク情報のデータ構造を示す図である。
【図６】（ａ）はデータ構造を説明するためのネットワークの概略図であり、（ｂ）は予約パス情報のデータ構造を示し、（ｃ）は予約パス経路情報のデータ構造を示す図である。
【図７】（ａ）はデータ構造を説明するためのネットワークの概略図であり、（ｂ）はパス情報のデータ構造を示し、（ｃ）はパス経路情報のデータ構造を示す図である。
【図８】図３のダイレクトパス確立ネットワークの動作を示すフローチャートである。
【図９】第２実施形態に係るサーバ装置、発信者ネットワークノード装置、中継ノード装置及び着信者ネットワークノード装置のブロック図である。
【図１０】図９のダイレクトパス確立ネットワークの動作を示すフローチャートである。
【図１１】第３実施形態に係る発信者ユーザノード装置及び着信者ユーザノード装置のブロック図である。
【図１２】第３実施形態に係るサーバ装置、発信者ネットワークノード装置、中継ノード装置及び着信者ネットワークノード装置のブロック図である。
【図１３】図１２のダイレクトパス確立ネットワークの動作を示すフローチャートである。
【符号の説明】
【０１３０】
１  ネットワーク（ダイレクトパス確立ネットワーク）
２  ネットワーク
３  サーバ装置
４  ネットワーク管理サーバ装置
１０  発信者ユーザノード装置
２０  発信者ネットワークノード装置
３０  中継ノード装置
４０  着信者ネットワークノード装置
５０  着信者ユーザノード装置
６０  ダイレクトパス
１００ａ  サーバ装置ＩＦ
１０１，１０１ａ  ダイレクトパス確立要求手段
１０２，１０２ａ  ダイレクトパス確立応答手段
１０３  パス情報格納手段
１０４  ＤＢ（データベース）
２０１  パス確立／完了通知手段
２０２  ダイレクト用リソース設定要求受信／応答手段
２０３  ダイレクト用リソース設定手段
２０４  経路計算手段
２０５  パス情報格納手段
２０６  ＤＢ（データベース）
２０７  ダイレクトパス確立要求受信手段
２０８  パス確立手段
２０９  ダイレクトパス確立応答手段
２１０  経路計算要求手段
３０１  リソース管理手段
３０２  経路計算手段
３０３  ダイレクト用リソース設定要求／応答手段
３０４  パス情報格納手段
３０５  パス確立／完了通知受信手段
３０６  パス情報更新手段
３０７  ＤＢ（データベース）
３０８  経路計算結果応答手段
３０９  ダイレクトパス確立要求受信手段
３１０  ダイレクトパス確立応答手段
３３３  ダイレクト用リソース設定手段
３３８  パス確立手段
４０３  ダイレクト用リソース設定手段
４０５  パス情報格納手段
４０６  ＤＢ（データベース）
４０７  ダイレクトパス確立要求手段
４０８  パス確立手段
４０９  ダイレクトパス確立応答手段
５０１  ダイレクトパス確立要求手段
５０２  ダイレクトパス確立応答手段
５０３  パス情報格納手段
５０４  ＤＢ（データベース）
【図１】
2010074375.tif 000003
【図２】
2010074375.tif 000004
【図３】
2010074375.tif 000005
【図４】
2010074375.tif 000006
【図５】
2010074375.tif 000007
【図６】
2010074375.tif 000008
【図７】
2010074375.tif 000009
【図８】
2010074375.tif 000010
【図９】
2010074375.tif 000011
【図１０】
2010074375.tif 000012
【図１１】
2010074375.tif 000013
【図１２】
2010074375.tif 000014
【図１３】
2010074375.tif 000015